(57)【要約】【課題】外部からの衝撃の印加に対して、簡単に、ディスクドライブを保護することができるようにする。【解決手段】  外部から衝撃を受け、その衝撃が取付ビス１４２の緩衝ゴム１６２で吸収できないような大きさで、かつ、ある一定以上の大きさであった場合に、基台１４１と衝撃吸収シャーシ１４３が作動方向Ｒに移動し、衝撃吸収シャーシ１４３の一方の端部の先端が、所定量ｄ１離れて設置されていた衝撃吸収ポール１５１の衝撃検出部１１４に衝突する。衝撃吸収ポール１５１に衝突したことで、所定の作動力量が加えられた衝撃吸収シャーシ１４３は、取付ピン１４４を溝１６３を通過させることで、基台１４１の上を作動方向Ｒと逆方向に移動して、衝撃を吸収する。本発明は、ディスクドライブを装着し、撮像した画像データをディスクドライブに記録するデジタルカメラに適用できる。【選択図】図６
2006338791.tif 000002
【特許請求の範囲】
【請求項１】
ディスクドライブを備え、ユーザに対しての警告の出力を制御する情報処理装置において、
ディスクドライブを保持する支持基台と、
前記支持基台から所定量離れた位置に設けられる衝撃吸収ポールと、
一方の端部を前記衝撃吸収ポール側に突出させて前記支持基台上に固定され、外部からのある一定以上の衝撃印加により、前記支持基台とともに前記一方の端部の方向に移動し、前記衝撃吸収ポールに衝突した場合に、前記支持基台上を前記他方の端部の方向に対して非可逆に移動する衝撃吸収シャーシと
により構成されるディスクドライブ筐体と、
前記衝撃吸収ポールに設けられ、前記衝撃吸収ポールに対する前記衝撃吸収シャーシの衝突を検出する衝突検出手段と、
前記衝突検出手段により前記衝撃吸収シャーシの衝突が検出された場合、ユーザに対して、外部からの衝撃印加を通知する警告の出力を制御する出力制御手段と
を備えることを特徴とする情報処理装置。
【請求項２】
前記衝突検出手段は、非可逆に構成される
ことを特徴とする請求項１に記載の情報処理装置。
【請求項３】
前記衝突検出手段は、ダンパ(damper)として構成される
ことを特徴とする請求項１に記載の情報処理装置。
【請求項４】
前記衝突検出手段により前記衝撃吸収シャーシの衝突が検出された場合、外部からの衝撃印加の検出情報をメモリに記録する記録手段をさらに備える
ことを特徴とする請求項１に記載の情報処理装置。
【請求項５】
電源が投入された場合、前記衝突検出手段により前記衝撃吸収シャーシの衝突が検出されているか否かを判定する検出判定手段と、
前記ディスクドライブの起動を制御するドライブ制御手段と
をさらに備え、
前記検出判定手段により前記衝撃吸収シャーシの衝突が検出されていると判定された場合、前記ドライブ制御手段は、前記ディスクドライブの起動の禁止を制御し、
前記出力制御手段は、前記警告の出力を制御する
ことを特徴とする請求項１に記載の情報処理装置。
【請求項６】
前記衝突検出手段による前記衝撃吸収シャーシの衝突の検出に基づいて、外部から印加された衝撃のレベルを設定する衝撃レベル設定手段をさらに備え、
前記出力制御手段は、前記衝撃レベル設定手段により設定された前記衝撃のレベルに応じた警告の出力を制御する
ことを特徴とする請求項１に記載の情報処理装置。
【請求項７】
前記衝撃吸収シャーシ、前記衝撃吸収ポール、および前記衝突検出手段がそれぞれ複数個設けられている場合、前記衝撃レベル設定手段は、前記衝撃吸収シャーシの衝突を検出した前記衝突検出手段の個数に基づいて、前記衝撃のレベルを設定する
ことを特徴とする請求項６に記載の情報処理装置。
【請求項８】
前記衝突検出手段により前記衝撃吸収シャーシの衝突が検出された場合、前記ディスクのチェックを実行するディスクチェック手段をさらに備え、
前記衝撃レベル設定手段は、前記ディスクチェック手段によるディスクチェック結果にも基づいて、前記衝撃のレベルを設定する
ことを特徴とする請求項６に記載の情報処理装置。
【請求項９】
前記警告には、修理や点検を促す警告も含まれる
ことを特徴とする請求項１に記載の情報処理装置。
【請求項１０】
ディスクドライブを備え、ユーザに対しての警告の出力を制御する情報処理装置の情報処理方法において、
ディスクドライブを保持する支持基台と、
前記支持基台から所定量離れた位置に設けられる衝撃吸収ポールと、
一方の端部を前記衝撃吸収ポール側に突出させて前記支持基台上に固定され、外部からのある一定以上の衝撃印加により、前記支持基台とともに前記一方の端部の方向に移動し、前記衝撃吸収ポールに衝突した場合に、前記支持基台上を前記他方の端部の方向に対して非可逆に移動する衝撃吸収シャーシと
により構成されるディスクドライブ筐体の前記衝撃吸収ポールに対する前記衝撃吸収シャーシの衝突を検出する衝突検出ステップと、
前記衝突検出ステップの処理により前記衝撃吸収シャーシの衝突が検出された場合、ユーザに対して、外部からの衝撃印加を通知する警告の出力を制御する出力制御ステップと
を含むことを特徴とする情報処理方法。
【請求項１１】
ディスクドライブを備えたコンピュータに、ユーザに対しての警告の出力を制御する処理を行わせるプログラムが記録されている記録媒体であって、
ディスクドライブを保持する支持基台と、
前記支持基台から所定量離れた位置に設けられる衝撃吸収ポールと、
一方の端部を前記衝撃吸収ポール側に突出させて前記支持基台上に固定され、外部からのある一定以上の衝撃印加により、前記支持基台とともに前記一方の端部の方向に移動し、前記衝撃吸収ポールに衝突した場合に、前記支持基台上を前記他方の端部の方向に対して非可逆に移動する衝撃吸収シャーシと
により構成されるディスクドライブ筐体の前記衝撃吸収ポールに対する前記衝撃吸収シャーシの衝突を検出する衝突検出ステップと、
前記衝突検出ステップの処理により前記衝撃吸収シャーシの衝突が検出された場合、ユーザに対して、外部からの衝撃印加を通知する警告の出力を制御する出力制御ステップと
を含むことを特徴とするプログラムが記録されている記録媒体。
【請求項１２】
ディスクドライブを備えたコンピュータに、ユーザに対しての警告の出力を制御する処理を行わせるプログラムであって、
ディスクドライブを保持する支持基台と、
前記支持基台から所定量離れた位置に設けられる衝撃吸収ポールと、
一方の端部を前記衝撃吸収ポール側に突出させて前記支持基台上に固定され、外部からのある一定以上の衝撃印加により、前記支持基台とともに前記一方の端部の方向に移動し、前記衝撃吸収ポールに衝突した場合に、前記支持基台上を前記他方の端部の方向に対して非可逆に移動する衝撃吸収シャーシと
により構成されるディスクドライブ筐体の前記衝撃吸収ポールに対する前記衝撃吸収シャーシの衝突を検出する衝突検出ステップと、
前記衝突検出ステップの処理により前記衝撃吸収シャーシの衝突が検出された場合、ユーザに対して、外部からの衝撃印加を通知する警告の出力を制御する出力制御ステップと
を含むことを特徴とするプログラム。
【発明の詳細な説明】
【技術分野】
【０００１】
本発明は、情報処理装置および方法、記録媒体、並びにプログラムに関し、特に、ディスクドライブに対して外部から衝撃が加わった場合に、その衝撃を、１度に限って吸収するとともに、警告することで、ディスクドライブを簡単に保護することができるようにした情報処理装置および方法、記録媒体、並びにプログラムに関する。
【背景技術】
【０００２】
従来から、コンパクトディスクなどのディスク装置に関しては、特許文献１に示されるように、防振効果を図る機構が搭載されている。
【０００３】
図１乃至図３を参照して、従来のディスク装置を説明する。
【０００４】
図１乃至図３は、それぞれ、従来のディスク装置１の基台としてのシャーシ１１に対するメインホルダ２９とサブホルダ１６の取り付け状態を示す平面図および斜視図、並びに取付ピン１４、１５、および、２５の断面図である。なお、図１乃至図３においては、説明に必要な部分のみに符号を付してあり、それ以外についてはその説明を省略する。
【０００５】
ディスク装置１の基台としてのシャーシ１１は、光学ディスクプレーヤ用の機器筐体に設けられており、上方には、光ディスク２を収納可能な凹部１２を有するトレイ１３が異動自在に設けられている。
【０００６】
シャーシ１１の後方端縁には、シャーシ１１の左右方向に所定の間隔をもって並列する２つのフランジ付きの取付ピン１４および１５が固定されている。
【０００７】
シャーシ１１の前方端縁には、サブホルダ１６が枢支ピン１７および１８を介して回動自在に設けられている。サブホルダ１６には、切欠き２０が形成されており、切欠き２０内に臨むコの字状の保持片２４が、サブホルダ１６に、枢支ピン２１および２２を介して揺動自在に設けられており、左右方向中央部には上方に突出するフランジ付きの取付ピン２５が固定されている。
【０００８】
取付ピン１４、１５、および２５の周囲には、上下方向に開口する円筒部２６ａ乃至２８ａ、円筒部２６ａ乃至２８ａに連通する上下２つの膨張部２６ｂ乃至２８ｂおよび２６ｃ乃至２８ｃからなるインシュレータとしての緩衝ゴム２６乃至２８がそれぞれ設けられている。
【０００９】
これらの緩衝ゴム２６乃至２８は、各取付ピン１４、１５、および、２５のフランジ１４ａ、１５ａ、および、２５ａによって、シャーシ１１と保持片２４にそれぞれ圧接保持されている。
【００１０】
メインホルダ２９は、シャーシ前後方向に延在する開口部２９ａおよび開口部２９ａに連通する切欠き２９ｂを有する多面視多角形状で構成され、シャーシ１１の上方に取付ピン１４、１５、および２５によって設けられており、右側縁には、側方に突出する保持片３０が一体に形成されている。このメインホルダ２９の後方端縁両側部および前方端縁中央部に、緩衝ゴム２６乃至２８の円筒部２６ａ乃至２８ａが臨む切欠き３１乃至３３および各切欠き３１乃至３３の近傍において開口するスプリング係止孔３４乃至３６が設けられている。
【００１１】
引張コイルスプリング３７乃至３９は、その各作用力線３７ａ乃至３９ａが光学ブロックＯＰの重心Ｇを通過するように、両端が各々シャーシ１１（引張コイルスプリング３７のみスプリング係止片２３）とスプリング係止孔３４乃至３６に係止されており、メインホルダ２９に各々が互いに異なるディスクテーブル面４１方向の弾發力を付与し得るように構成されている。
【００１２】
以上のように、従来のディスク装置１は、圧縮コイルスプリングによって、シャーシを装置の基台に弾性支持するように構成されている。
【００１３】
【特許文献１】特開平７−４５０５６号公報
【発明の開示】
【発明が解決しようとする課題】
【００１４】
すなわち、従来のディスク装置には、一般的に、防振や緩衝機構を目的とする機構は存在するが、衝撃を吸収する機構や衝撃を検出する機構がなかった。
【００１５】
このため、例えば、ユーザが誤って落下させてしまうなどの大きな衝撃を受けた場合には、ディスク装置は、１度で故障してしまうことが多かった。
【００１６】
本発明は、このような状況に鑑みてなされたものであり、ディスクドライブに対して衝撃が加わった場合に、１度に限ってその衝撃を吸収するとともに、警告を表示して、ディスクドライブを簡単に保護することができるようにするものである。
【課題を解決するための手段】
【００１７】
本発明の情報処理装置は、ディスクドライブを保持する支持基台と、支持基台から所定量離れた位置に設けられる衝撃吸収ポールと、一方の端部を衝撃吸収ポール側に突出させて支持基台上に固定され、外部からのある一定以上の衝撃印加により、支持基台とともに一方の端部の方向に移動し、衝撃吸収ポールに衝突した場合に、支持基台上を他方の端部の方向に対して非可逆に移動する衝撃吸収シャーシとにより構成されるディスクドライブ筐体と、衝撃吸収ポールに設けられ、衝撃吸収ポールに対する衝撃吸収シャーシの衝突を検出する衝突検出手段と、衝突検出手段により衝撃吸収シャーシの衝突が検出された場合、ユーザに対して、外部からの衝撃印加を通知する警告の出力を制御する出力制御手段とを備えることを特徴とする。
【００１８】
衝突検出手段は、非可逆に構成されるようにすることができる。
【００１９】
衝突検出手段は、ダンパ(damper)として構成されるようにすることができる。
【００２０】
衝突検出手段により衝撃吸収シャーシの衝突が検出された場合、外部からの衝撃印加の検出情報をメモリに記録する記録手段をさらに備えるようにすることができる。
【００２１】
電源が投入された場合、衝突検出手段により衝撃吸収シャーシの衝突が検出されているか否かを判定する検出判定手段と、ディスクドライブの起動を制御するドライブ制御手段をさらに備え、検出判定手段により衝撃吸収シャーシの衝突が検出されていると判定された場合、ドライブ制御手段は、ディスクドライブの起動の禁止を制御し、出力制御手段は、警告の出力を制御するようにすることができる。
【００２２】
衝突検出手段による衝撃吸収シャーシの衝突の検出に基づいて、外部から印加された衝撃のレベルを設定する衝撃レベル設定手段をさらに備え、出力制御手段は、衝撃レベル設定手段により設定された衝撃のレベルに応じた警告の出力を制御するようにすることができる。
【００２３】
衝撃吸収シャーシ、衝撃吸収ポール、および衝突検出手段がそれぞれ複数個設けられている場合、衝撃レベル設定手段は、衝撃吸収シャーシの衝突を検出した衝突検出手段の個数に基づいて、衝撃のレベルを設定するようにすることができる。
【００２４】
衝突検出手段により衝撃吸収シャーシの衝突が検出された場合、ディスクのチェックを実行するディスクチェック手段をさらに備え、衝撃レベル設定手段は、ディスクチェック手段によるディスクチェック結果にも基づいて、衝撃のレベルを設定するようにすることができる。
【００２５】
警告には、修理や点検を促す警告も含まれるようにすることができる。
【００２６】
本発明の情報処理方法は、ディスクドライブを保持する支持基台と、支持基台から所定量離れた位置に設けられる衝撃吸収ポールと、一方の端部を衝撃吸収ポール側に突出させて支持基台上に固定され、外部からのある一定以上の衝撃印加により、支持基台とともに一方の端部の方向に移動し、衝撃吸収ポールに衝突した場合に、支持基台上を他方の端部の方向に対して非可逆に移動する衝撃吸収シャーシとにより構成されるディスクドライブ筐体の衝撃吸収ポールに対する衝撃吸収シャーシの衝突を検出する衝突検出ステップと、衝突検出ステップの処理により衝撃吸収シャーシの衝突が検出された場合、ユーザに対して、外部からの衝撃印加を通知する警告の出力を制御する出力制御ステップとを含むことを特徴とする。
【００２７】
本発明の記録媒体に記録されているプログラムは、ディスクドライブを保持する支持基台と、支持基台から所定量離れた位置に設けられる衝撃吸収ポールと、一方の端部を衝撃吸収ポール側に突出させて支持基台上に固定され、外部からのある一定以上の衝撃印加により、支持基台とともに一方の端部の方向に移動し、衝撃吸収ポールに衝突した場合に、支持基台上を他方の端部の方向に対して非可逆に移動する衝撃吸収シャーシとにより構成されるディスクドライブ筐体の衝撃吸収ポールに対する衝撃吸収シャーシの衝突を検出する衝突検出ステップと、衝突検出ステップの処理により衝撃吸収シャーシの衝突が検出された場合、ユーザに対して、外部からの衝撃印加を通知する警告の出力を制御する出力制御ステップとを含むことを特徴とする。
【００２８】
本発明のプログラムは、ディスクドライブを保持する支持基台と、支持基台から所定量離れた位置に設けられる衝撃吸収ポールと、一方の端部を衝撃吸収ポール側に突出させて支持基台上に固定され、外部からのある一定以上の衝撃印加により、支持基台とともに一方の端部の方向に移動し、衝撃吸収ポールに衝突した場合に、支持基台上を他方の端部の方向に対して非可逆に移動する衝撃吸収シャーシとにより構成されるディスクドライブ筐体の衝撃吸収ポールに対する衝撃吸収シャーシの衝突を検出する衝突検出ステップと、衝突検出ステップの処理により衝撃吸収シャーシの衝突が検出された場合、ユーザに対して、外部からの衝撃印加を通知する警告の出力を制御する出力制御ステップとを含むことを特徴とする。
【００２９】
本発明においては、ディスクドライブ筐体が、ディスクドライブを保持する支持基台と、支持基台から所定量離れた位置に設けられる衝撃吸収ポールと、一方の端部を衝撃吸収ポール側に突出させて支持基台上に固定され、ある一定以上の衝撃印加により、支持基台とともに一方の端部の方向に移動し、衝撃吸収ポールに衝突した場合に、支持基台上を他方の端部の方向に対して非可逆に移動するシャーシとにより構成される。そして、ディスクドライブ筐体の衝撃吸収ポールに対する衝撃吸収シャーシの衝突が検出された場合、ユーザに対して、外部からの衝撃印加を通知する警告の出力が制御される。
【００３０】
本発明は、例えば、ハードディスクなどのストレージデバイスが搭載されたパーソナルコンピュータ、ＡＶ（オーディオビジュアル）機器などのＣＥ機器、またデジタルスチルカメラやカメラ一体型（デジタル）ビデオレコーダ、携帯電話機などの装置に適用することができる。
【発明の効果】
【００３１】
本発明によれば、外部からの衝撃に対して、簡単に、ディスクドライブを保護することができる。
【発明を実施するための最良の形態】
【００３２】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３３】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００３４】
請求項１の情報処理装置は、ディスクドライブ（例えば、図５のＨＤＤ１１３）を保持する支持基台（例えば、図５の基台１４１）と、支持基台から所定量離れた位置に設けられる衝撃吸収ポール（例えば、図５の衝撃吸収ポール１５１）と、一方の端部を衝撃吸収ポール側に突出させて支持基台上に固定され、外部からのある一定以上の衝撃印加により、支持基台とともに一方の端部の方向に移動し、衝撃吸収ポールに衝突した場合に、支持基台上を他方の端部の方向に対して非可逆に移動する衝撃吸収シャーシ（例えば、図５の衝撃吸収シャーシ１４３）とにより構成されるディスクドライブ筐体（例えば、図５のメカデッキ１２１）と、衝撃吸収ポールに設けられ、衝撃吸収ポールに対する衝撃吸収シャーシの衝突を検出する衝突検出手段（例えば、図６の衝撃検出部１１４）と、衝突検出手段により衝撃吸収シャーシの衝突が検出された場合、ユーザに対して、外部からの衝撃印加を通知する警告の出力を制御する出力制御手段（例えば、図４の制御ブロック１１５）とを備えることを特徴とする。
【００３５】
請求項３の情報処理装置は、衝突検出手段（例えば、図１１の衝撃検出部１１４）は、ダンパ(damper)として構成されることを特徴とする。
【００３６】
請求項４の情報処理装置は、衝突検出手段により衝撃吸収シャーシの衝突が検出された場合、外部からの衝撃印加の検出情報をメモリ（例えば、図１４のフラッシュメモリ２６４）に記録する記録手段（例えば、図１５の検出情報記録部３０２）をさらに備えることを特徴とする。
【００３７】
請求項５の情報処理装置は、電源が投入された場合、衝突検出手段により衝撃吸収シャーシの衝突が検出されているか否かを判定する検出判定手段（例えば、図１５の衝撃検出監視部３０１）と、ディスクドライブの起動を制御するドライブ制御手段（例えば、図１５のディスクドライブ制御部３０４）をさらに備え、検出判定手段により衝撃吸収シャーシの衝突が検出されていると判定された場合、ドライブ制御手段は、ディスクドライブの起動の禁止を制御し、出力制御手段は、警告の出力を制御することを特徴とする。
【００３８】
請求項６の情報処理装置は、衝突検出手段による衝撃吸収シャーシの衝突の検出に基づいて、外部から印加された衝撃のレベルを設定する衝撃レベル設定手段（例えば、図１５の衝撃レベル判定部３０３）をさらに備え、出力制御手段は、衝撃レベル設定手段により設定された衝撃のレベルに応じた警告の出力を制御することを特徴とする。
【００３９】
請求項８の情報処理装置は、衝突検出手段により衝撃吸収シャーシの衝突が検出された場合、ディスクのチェックを実行するディスクチェック手段（例えば、図１５のディスクチェック処理部３０５）をさらに備え、衝撃レベル設定手段は、ディスクチェック手段によるディスクチェック結果にも基づいて、衝撃のレベルを設定することを特徴とする。
【００４０】
請求項１０の情報処理方法は、ディスクドライブを保持する支持基台と、支持基台から所定量離れた位置に設けられる衝撃吸収ポールと、一方の端部を衝撃吸収ポール側に突出させて支持基台上に固定され、外部からのある一定以上の衝撃印加により、支持基台とともに一方の端部の方向に移動し、衝撃吸収ポールに衝突した場合に、支持基台上を他方の端部の方向に対して非可逆に移動する衝撃吸収シャーシとにより構成されるディスクドライブ筐体の衝撃吸収ポールに対する衝撃吸収シャーシの衝突を検出する衝突検出ステップ（例えば、図１６のステップＳ１１）と、衝突検出ステップの処理により衝撃吸収シャーシの衝突が検出された場合、ユーザに対して、外部からの衝撃印加を通知する警告の出力を制御する出力制御ステップ（例えば、図１６のステップＳ１４）とを含むことを特徴とする。
【００４１】
なお、請求項１１に記載の記録媒体および請求項１２に記載のプログラムも、上述した請求項１０に記載の情報処理方法と基本的に同様の構成であるため、繰り返しになるのでその説明は省略する。
【００４２】
以下、図を参照して本発明の実施の形態について説明する。
【００４３】
図４は、本発明を適用したデジタルカメラの内部の構成例を示すブロック図である。
【００４４】
図４の例において、デジタルカメラ１０１には、ハードディスクドライブ（以下、ＨＤＤと称する）１１３が装着されており、ユーザは、デジタルカメラ１０１で所望の被写体を撮像（撮影）し、その撮像した画像のデータをＨＤＤ１１３に記録させたり、ＨＤＤ１１３に記録されている画像データを読み出させ、読み出したデータに対応する画像を、ＬＣＤ（Liquid Crystal Display）１１７などに表示させることができる。
【００４５】
図４のデジタルカメラ１０１の制御バス１１２には、カメラ信号処理ブロック１１１、ＨＤＤ１１３、衝撃検出部１１４、制御ブロック１１５、および映像信号生成処理部１１６が接続されている。
【００４６】
カメラ信号処理ブロック１１１は、被写体を撮像したり、撮像により入力された画像信号に対して所定の信号処理を行い、所定の信号処理が行われた結果である、被写体の画像に対応する画像データを、制御バス１１２を介して、制御ブロック１１５や映像信号生成処理部１１６に供給する。
【００４７】
ＨＤＤ１１３は、内部に装着されるディスク状の記録媒体（以下、ディスクと称する）に、カメラ信号処理ブロック１１２により撮像された画像データを書き込んだり、ディスクに記録されている画像データを読み出す処理を行う。ディスクは、磁気ディスクなどで構成される。
【００４８】
衝撃検出部１１４は、ＨＤＤ１１３を保持するメカデッキ（筐体）１２１（図５）内に設けられ、例えば、ユーザが誤ってデジタルカメラ１０１を落下させるなどの大きな衝撃が、ＨＤＤ１１３に加わったときにそれを検出し、衝撃検出信号として、制御バス１１２を介して制御ブロック１１５に供給する。
【００４９】
制御ブロック１１５は、内部に記憶されるプログラムなどに従って、制御バス１１２を介して接続されるデジタルカメラ１０１の各部の制御を行う。例えば、制御ブロック１１５は、各部を制御することで、被写体を撮像し、画像データを取り込む処理や、撮像された画像データを、ＬＣＤ１１７に表示したり、ＨＤＤ１１３のディスクに記録する処理、ＨＤＤ１１３のディスクに記録されている画像データをＬＣＤ１１７に表示する処理などを実行する。
【００５０】
また、制御ブロック１１５は、衝撃検出部１１４からの衝撃検出信号に応じて、デジタルカメラ１０１が衝撃を受けたことを通知する警告や、ＨＤＤ１１３内のディスクに破損の恐れがあることの警告を、映像信号処理部１１６を介して、ＬＣＤ１１７に表示する処理も制御する。
【００５１】
映像信号生成処理部１１６は、カメラ信号処理ブロック１１１や制御ブロック１１５やから供給される画像データに対応した映像信号を生成し、映像信号をＬＣＤ１１７に出力する。ＬＣＤ１１７は、映像信号生成処理部１１６からの映像信号に対応する映像を表示する。
【００５２】
以上のように、図１のデジタルカメラ１０１においては、詳しくは後述するが、ユーザが誤ってデジタルカメラ１０１を落下させるなど、ＨＤＤ１１３に一定以上の大きな衝撃が検出された場合に、その衝撃検出信号に対応して、ユーザに対して、所定の警告が出力されるなどの処理が実行される。
【００５３】
図５は、図４のＨＤＤが装着されるメカデッキ内の外観の構成例を示す上面図である。したがって、図５の例においては、横軸がｘ方向を、縦軸がｙ方向を表わしている。すなわち、図示せぬ図面に対して垂直な軸がｚ方向を表わす。
【００５４】
図５の例においては、ディスク１３１が装着されたＨＤＤ１１３をメカデッキ１２１内に保持するための基台（ディスクシャーシ）１４１が示されている。基台１４１は、略長方形状をしており、その中央部にＨＤＤ１１３が保持されている。
【００５５】
また、基台１４１の四隅に形成された上下方向（図中）への凸部には、基台１４１を、メカデッキ１２１のベースとなるベースシャーシ１６１（図６）に取り付けるための取付ビス１４２−１乃至１４２−４がそれぞれ固定されている。
【００５６】
すなわち、基台１４１の左下隅の凸部には、取付ビス１４２−１が固定され、左上隅の凸部には、取付ビス１４２−２が固定されている。また、右上隅の凸部には、取付ビス１４２−３が固定され、右下隅の凸部には、取付ビス１４２−４が固定されている。なお、以下、取付ビス１４２−１乃至１４２−４を個々に区別する必要がない場合、適宜、取付ビス１４２と称する。
【００５７】
図５の例においては、さらに、基台１４１上の左下隅の凸部（取付ビス１４２−１）の近傍には、衝撃吸収シャーシ１４３が、一方の端部（図中左端部）を基台１４１から突出させるように、他方の端部（図中右端部）側が取付ピン１４４により固定されて、設けられている。
【００５８】
また、メカデッキ１２１内において、衝撃吸収シャーシ１４３の一方の端部から外側（ＨＤＤ１１３側とは反対側）に対して所定量離れた位置には、衝撃吸収ポール１５１が、図６のベースシャーシ１６１上に固定されて設けられている。
【００５９】
図６は、図５のメカデッキ内の衝撃吸収シャーシ近傍の拡大断面図である。なお、図６の例においては、外部からの衝撃を受ける前のデフォルト状態の外観が示されており、図５の例と対応する部分には対応する符号が付してある。したがって、図６の例においては、横軸がｘ方向を、縦軸がｚ方向を表わしている。すなわち、図示せぬ図面に対して垂直な軸がｙ方向を表わす。
【００６０】
図６の例においては、衝撃吸収ポール１５１は、衝撃吸収シャーシ１４３の一方の端部から外側に対して所定量ｄ１離れた位置に、ベースシャーシ１６１上に固定されて設けられている。この衝撃吸収ポール１５１は、詳しくは後述するが、衝撃吸収シャーシ１４３が、外部からの衝撃の印加により外側（作動方向Ｒ）に基台１４１とともに移動し、衝撃吸収ポール１５１に衝突することで、その衝撃をある程度吸収する機構となっている。
【００６１】
また、衝撃吸収ポール１５１における、衝撃吸収シャーシ１４３が外部からの衝撃の印加により衝突する可能性のある位置には、衝撃吸収シャーシ１４３の一方の端部の衝突を電気的に検出する衝撃検出部１１４が設けられている。
【００６２】
図６の例においては、衝撃検出部１１４は、衝撃受け用のゴム系材料で覆われており、非可逆の検出スイッチで構成される。なお、検出スイッチは、非可逆でなくてもよいが、非可逆であることが望ましい。
【００６３】
また、外部からの衝撃は、必ずしも作動方向Ｒに水平に印加されるものではないため、衝撃検出部１１４は、作動方向Ｒに水平に加えられた場合に衝突する位置を基準として広めに検出できるように設けることが好ましい。
【００６４】
図６の取付ビス１４２は、ベースシャーシ１６１との接合部１４２ａ、およびベースシャーシ１６１から所定の高さに形成され、基台１４１を保持するための保持部１４２ｂなどで構成されている。なお、取付ビス１４２の構成は、従来と同様であるため詳細な説明は適宜省略する。
【００６５】
接合部１４２ａは、取付ビス１４２の下端に凸型で形成され、ベースシャーシ１６１に形成された凹部１６１ａと勘合されることにより、ベースシャーシ１６１に強固に固定圧着されている。
【００６６】
保持部１４２ｂの周囲には、外部からの多少の衝撃を吸収する緩衝ゴム（ブッシング）１６２が付加されている。すなわち、ベースシャーシ１６１に固定された取付ビス１４２の保持部１４２ｂと緩衝ゴム１６２により、基台１４１がベースシャーシ１６１から所定の高さに揺動自在に保持されており、緩衝ゴム１６２により、外部からの基台１４１への多少の衝撃は、緩和される。
【００６７】
基台１４１と衝撃吸収シャーシ１４３を固定している取付ピン１４４の下端には、取付ピン１４４の円筒部１４４ｂの胴周より少し小さい胴周の螺子部１４４ａが形成されている。この螺子部１４４ａを、螺子部１４４ａに合わせて基台１４１に形成された螺子孔１４１ａに嵌め、連通させることで、取付ピン１４４は、基台１４１に強固に固定されている。
【００６８】
一方、衝撃吸収シャーシ１４３には、図中左方向に向く作動方向Ｒ（−ｘ方向）に対しては、円筒部１４４ｂの直径よりも所定量大きいサイズで、かつ、図示せぬｙ方向の垂直方向に対しては、円筒部１４４ｂの略直径サイズの開孔部１４３ａが形成されている。これにより、衝撃吸収シャーシ１４３は、作動方向Ｒと逆方向に対して所定量移動可能なように、取付ピン１４４により基台１４１に固定されている。
【００６９】
なお、図６の例においては、取付ピン１４４は、その開孔部１４３ａの右端に位置しており、衝撃吸収シャーシ１４３を作動方向Ｒと逆方向に対して所定量移動可能なように、基台１４１に固定されている。すなわち、取付ピン１４４に対して作動方向Ｒ側の衝撃吸収シャーシ１４３には、形成された開孔部１４３ａによる溝１６３が形成されている。
【００７０】
図７を参照して、衝撃吸収シャーシの開孔部について詳しく説明する。図７は、図５のメカデッキ内の衝撃吸収シャーシ近傍の拡大上面図である。したがって、図７の例においても、図５の例と同様に、横軸がｘ方向を、縦軸がｙ方向を表わしている。すなわち、図示せぬ図面に対して垂直な軸がｚ方向を表わす。
【００７１】
図７の例において、開孔部１４３ａは、ｙ方向に対しては、円筒部１４４ｂの直径サイズよりも多少の余裕（作動方向Ｒに移動可能な余裕）がある略直径サイズで、かつ、作動方向Ｒ側に対しては、円筒部１４４ｂの直径より所定量大きいサイズで、衝撃吸収シャーシ１４３に形成されている
【００７２】
すなわち、衝撃吸収シャーシ１４３上には、開孔部１４３ａが形成されることにより、取付ピン１４４の作動方向Ｒ側には、安定作動用の溝１６３が形成されている。したがって、衝撃吸収シャーシ１４３は、取付ピン１４４を、衝撃吸収シャーシ１４３上の溝１６３を通過させることで、基台１４１上を作動方向Ｒと逆方向に移動することができる。
【００７３】
図６に戻って、取付ピン１４４の円筒部１４４ｂの周囲には、取付ピン１４４の上部と基台１４１をその弾性で固定する圧接バネ１６４が付加されている。すなわち、衝撃吸収シャーシ１４３は、取付ピン１４４および圧接バネ１６４により基台１４１に固定されているため、圧接バネ１６４の弾性により、作動方向Ｒに対して移動するための作動力量が調整されており、所定の作動力量が加えられないと、作動方向Ｒと逆方向に移動することができない。
【００７４】
したがって、所定の作動量が加えられた場合のみ、衝撃吸収シャーシ１４３は、基台１４１上を、作動方向Ｒと逆方向に移動することができる。なお、この作動量は、圧接バネ１６４の弾性を変更することで、設定変更可能である。
【００７５】
次に、以上のように構成されたメカデッキ１２１内の動作について説明する。
【００７６】
例えば、デジタルカメラ１０１が外部から略作動方向Ｒに衝撃が印加され、その衝撃が取付ビス１４２の緩衝ゴム１６２で吸収できないような大きさであった場合に、基台１４１と衝撃吸収シャーシ１４３が作動方向Ｒに移動する。さらに、その衝撃がある一定以上の大きさであったときには、衝撃吸収シャーシ１４３の一方の端部の先端が、衝撃吸収ポール１５１に衝突する。
【００７７】
このとき、衝撃吸収ポール１５１は、衝撃吸収ポール１５１自体、または設置されている衝撃受け用のゴム系材料で形成された衝撃検出部１１４により、衝撃吸収シャーシ１４３の一方の端部の先端からのある程度の衝撃を吸収するが、吸収しきれない衝撃は、そのまま衝撃吸収シャーシ１４３に返る。
【００７８】
衝撃吸収シャーシ１４３に返った衝撃の大きさが、所定の作動力量以上であった場合、すなわち、衝撃吸収ポール１５１に衝突したことで、所定の作動力量が加えられた衝撃吸収シャーシ１４３は、取付ピン１４４を、溝１６３を通過させることで、基台１４１の上を作動方向Ｒと逆方向に移動して、ある程度の衝撃を吸収する。
【００７９】
以上のようにして、外部からの大きな衝撃は、その衝撃の大きさに応じて段階的に吸収される。
【００８０】
図８は、衝撃を受けた後の衝撃吸収シャーシ近傍の外観の構成例を示す拡大側面図である。
【００８１】
衝撃吸収ポール１５１に衝突したことで、所定の作動力量が加えられた衝撃吸収シャーシ１４３は、基台１４１の上を作動方向Ｒと逆方向に移動している。
【００８２】
したがって、衝撃吸収シャーシ１４３は、元の位置から、作動方向Ｒと逆方向にαだけ移動しており、図６の例において所定量ｄ１であった、衝撃吸収ポール１５１と衝撃吸収シャーシ１４３の一方の端部との距離は、所定量ｄ２＝所定量ｄ１＋αとなっている。
【００８３】
また、図６の例において開孔部１４３ａの右端に位置していた取付ピン１４４は、開孔部１４３ａの右端からαだけ作動方向Ｒに移動した位置において、衝撃吸収シャーシ１４３と基台１４１を固定している。すなわち、取付ピン１４４に対して作動方向Ｒと逆方向側の衝撃吸収シャーシ１４３には、衝撃吸収シャーシ１４３のαの移動により、αの大きさ（ｘ方向）の溝１６３ａが形成され、取付ピン１４４に対して作動方向Ｒ側の衝撃吸収シャーシ１４３に形成されていた溝１６３のｘ方向の大きさは、αだけ小さくなっている。
【００８４】
なお、衝撃吸収シャーシ１４３には、基台１４１との間に、圧接バネ１６４による一定方向の摩擦が生じており、衝撃の印加（衝撃吸収ポール１５１との衝突）により、所定の作動力量が加えられ、基台１４１の上を作動方向Ｒと逆方向にαだけ移動した衝撃吸収シャーシ１４３は、元の状態には戻らない。
【００８５】
したがって、αだけ作動方向Ｒと逆方向に移動した衝撃吸収シャーシ１４３の状態で、再度、デジタルカメラ１０１に対して外部から同じ衝撃が印加されて、基台１４１と衝撃吸収シャーシ１４３が作動方向Ｒに移動し、さらに、その衝撃がある一定以上の衝撃であったとしても、所定量ｄ１よりもα長い所定量ｄ２の距離離れてしまった衝撃吸収ポール１５１には衝突されないので、ある一定以上の衝撃は、吸収されずにそのままＨＤＤ１１３に返ってしまう。
【００８６】
すなわち、１度の衝撃の印加により、衝撃吸収シャーシ１４３による衝撃吸収機構は破壊されており、衝撃吸収シャーシ１４３は、ＨＤＤ１１３を衝撃の印加から２度（１度のみしか）守ることはできない。換言すれば、衝撃吸収シャーシ１４３は、１度移動してしまうと元には戻らない、メカ的なヒューズとも言える。
【００８７】
そこで、１度の衝撃の印加を検出し、その検出をユーザに対して通知させるために、衝撃吸収ポール１５１に設けられた衝撃検出部１１４に、衝撃吸収シャーシ１４３の一方の端部の先端の衝撃吸収ポール１５１に対する衝突を検出させる。
【００８８】
衝撃検出部１１４は、衝撃吸収シャーシ１４３の一方の端部の先端の衝撃吸収ポール１５１に対する衝突を電気的に検出すると、検出した衝撃検出信号を、制御バス１１２を介して、制御ブロック１１５に供給する。これにより、詳しくは後述するが、制御ブロック１１５においては、その衝撃検出信号に対応して、ユーザに所定の警告が出力されるなどの処理が実行される。
【００８９】
図９および図１０を参照して、図７の衝撃吸収シャーシの他の構成例を説明する。
【００９０】
図９は、衝撃を受けた後のメカデッキ内の衝撃吸収シャーシ近傍の拡大上面図であり、図１０は、図９における衝撃吸収シャーシを外した場合の拡大上面図である。
【００９１】
図９の例においては、衝撃を受けた後であるため、衝撃吸収シャーシ１４３において、取付ピン１４４の作動方向Ｒ側には、溝１６３が存在するとともに、取付ピン１４４の作動方向Ｒと反対方向側にも、溝１６３ａが存在している。
【００９２】
また、図９の衝撃吸収シャーシ１４３の下面には、溝１６３（溝１６３ａ）の周囲に、凸型の安全作動用レール１８１が設けられており、図１０の基台１４１には、凸型の安全作動用レール１８１に対応した凹型の安全作動用レール１９１が設けられている。
【００９３】
この安全作動用レール１８１および１９１は、衝撃が、必ずしも、作動方向Ｒに水平に加えられるものではないことから、作動方向Ｒとは多少外れた方向から衝撃が与えられた場合に、基台１４１上の衝撃吸収シャーシ１４３の移動を、作動方向Ｒに導くためのものである。これにより、基台１４１上を衝撃吸収シャーシ１４３が移動したときに、衝撃吸収シャーシ１４３の一方の端部の先端が、衝撃吸収ポール１５１（の衝撃検出部１１４）への衝突から外れてしまうことを抑制することができる。
【００９４】
なお、安全作動用レール１８１は、凹型であってもよく、安全作動用レール１８１が凹型に設けられた場合には、それに対応して、安全作動用レール１９１は、凸型に設けられる。
【００９５】
図１１は、図６の衝撃吸収ポールに設けられる衝撃検出部付近の構成例を示す拡大断面図である。したがって、図１１の例においても、図６の例と同様に、横軸がｘ方向を、縦軸がｚ方向を表わしている。すなわち、図示せぬ図面に対して垂直な軸がｙ方向を表わす。
【００９６】
図１１の例においては、衝撃吸収ポール１５１に設けられる衝撃検出部１１４を、衝撃吸収ダンパ(damper)として構成する例を説明する。
【００９７】
図１１の衝撃検出部１１４は、検出部本体２０１、およびピストン部２０２で構成され、衝撃吸収ポール１５１の表面から突出しないように、衝撃吸収ポール１５１に設けられている。なお、衝撃検出部１１４は、衝撃吸収ポール１５１の表面から突出されるように設けられていてもよいが、衝撃吸収ポール１５１の表面から突出しないように設けるほうが、設置領域の面で効率がよい。
【００９８】
ピストン部２０２は、検出部本体２０１から突出されて形成され、衝撃吸収シャーシ１４３の衝突による圧力Ｐを受ける受圧部２１１、検出部本体２０１内部に位置し、検出部本体２０１内部のオイル２２２や空気２２３を押し出す加圧部２１２、受圧部２１１と加圧部２１２を接続する筒部２１３で構成されている。
【００９９】
検出部本体２０１において、ピストン部２０２の受圧部２１１と対面する位置には、検出スイッチ２２１が設けられている。検出部本体２０１内部には、ピストン部２０２の加圧部２１２が配置され、検出部本体２０１内部の加圧部２１２よりも奥には、衝撃緩和機構としてとしてのオイル２２２が封入されている。検出部本体２０１内部のオイル２２２と加圧部２１２に挟まれた残りの空間には、空気２２３が密封されている。
【０１００】
なお、検出部本体２０１内部に封入される衝撃緩和機構としては、オイルに限らず、他の液体やガスであってもよい。
【０１０１】
受圧部２１１は、検出部本体２０１に設けられる検出スイッチ２２１を押下するように、検出部本体２０１と同じ大きさ（ｙｚのサイズ）で形成されている。
【０１０２】
加圧部２１２には、検出部本体２０１内部のオイル２２２や空気２２３を逃がすための孔２３１が設けられており、加圧部２１２は、加圧部２１２が検出部本体２０１内部に押し込まれたときに、その孔２３１からしかオイル２２２や空気２２３が逃げないように、検出部本体２０１の内部に合わせたサイズで形成されている。
【０１０３】
筒部２１３は、検出部本体２０１において、ピストン部２０２の受圧部２１１と対面する位置に検出スイッチ２２１が設けられるように、細い筒型に形成されている。
【０１０４】
検出スイッチ２２１は、受圧部２１１の押下により、衝撃を検出し、検出した衝撃検出信号を、制御バス１１２を介して、制御ブロック１１５に供給する。
【０１０５】
次に、衝撃検出部１１４の動作について説明する。
【０１０６】
例えば、デジタルカメラ１０１が外部から衝撃が印加され、その衝撃が取付ビス１４２の緩衝ゴム１６２で吸収できないような大きさであった場合に、基台１４１と衝撃吸収シャーシ１４３が作動方向Ｒに移動する。さらに、その衝撃がある一定以上の大きさであったときには、衝撃吸収シャーシ１４３の一方の端部の先端が、衝撃吸収ポール１５１の衝撃検出部１１４に衝突する。
【０１０７】
このとき、衝撃検出部１１４の受圧部２１１は、衝撃吸収シャーシ１４３から衝突による圧力Ｐを受ける。圧力Ｐを受けたピストン部２０２は、圧力Ｐの方向へ移動し、加圧部２１２が、オイル２２２や空気２２３が封入されている検出部本体２０１内部に押し込まれる。これに対応して、検出部本体２０１の内部のオイル２２２や空気２２３は、加圧部２１２に設けられた孔２３１を介して、検出部本体２０１の手前側に押し出される。これにより、衝撃吸収ポール１５１への衝撃吸収シャーシ１４３の衝突による衝撃が、吸収される。
【０１０８】
また、圧力Ｐを受けることにより受圧部２１１も、圧力Ｐの方向へ移動して、検出部本体２０１に設けられる検出スイッチ２２１を押下する。
【０１０９】
したがって、検出スイッチ２２１は、受圧部２１１の押下により、衝撃（衝撃吸収シャーシ１４３の衝突）を検出し、検出した衝撃検出信号を、制御バス１１２を介して、制御ブロック１１５に供給する。これに対応して、詳しくは後述するが、制御ブロック１１５においては、その衝撃検出信号に対応して、ユーザに所定の警告が出力されるなどの処理が実行される。
【０１１０】
図１２は、衝撃を受けた後の衝撃検出部１１４の構成例を示す拡大断面図である。
【０１１１】
図１２の例においては、ピストン部２０２は、圧力Ｐの方向へ移動しており、検出部本体２０１の内部の空気２２３ａは、加圧部２１２に設けられた孔２３１を介して、検出部本体２０１の手前側に押し出されており、また、オイル２２２は、その一部（オイル２２２ａ）が加圧部２１２に設けられた孔２３１を介して、検出部本体２０１の手前側に押し出されたため、検出部本体２０１の内部において変形している。
【０１１２】
これらの検出部本体２０１の手前側に押し出された検出部本体２０１の内部のオイル２２２ａや空気２２３ａは、元には戻らない。すなわち、衝撃検出部１１４の衝撃吸収機構は、破壊され、２度目の衝撃を吸収することはできない。
【０１１３】
以上のように、衝撃検出部１１４を衝撃検出ダンパにより構成することで、１度だけの衝撃からのみ、ＨＤＤ１１３を救済することができる。すなわち、衝撃検出ダンパは、ＨＤＤ１１３を衝撃から２度守ることはできない、衝撃からの１度のみの救済機構である。換言すれば、衝撃検出ダンパで構成された衝撃検出部１１４も、衝撃吸収シャーシ１４３と同様に、１度移動してしまうと元には戻らない、メカ的なヒューズとも言える。
【０１１４】
一方、ピストン部２０２の受圧部２１１も同様に、圧力Ｐの方向へ移動して、その位置から元へは戻らない。このため、受圧部２１１は、検出部本体２０１に設けられる検出スイッチ２２１を押下しつづける。したがって、検出スイッチ２２１も、衝撃検出信号を、制御バス１１２を介して、制御ブロック１１５に供給しつづける。
【０１１５】
すなわち、検出スイッチ２２１は、衝撃の印加（衝撃吸収シャーシ１４３の衝突）から、衝撃検出信号を、制御バス１１２を介して、制御ブロック１１５に供給しつづける。したがって、デジタルカメラ１０１（制御ブロック１１５）の電源がＯＦＦされていた場合に、外部から衝撃が印加されたときであっても、デジタルカメラ１０１（制御ブロック１１５）が起動されたときに、制御ブロック１１５は、検出スイッチ２２１からの衝撃検出信号を受けることができる。
【０１１６】
これにより、デジタルカメラ１０１の電源がＯＦＦされていた場合に、衝撃が印加されたとしても、デジタルカメラ１０１が起動していた場合と同様に、ユーザに対して、所定の警告を出力するなどの処理を実行することができる。
【０１１７】
以上のように、基台１４１に衝撃吸収シャーシ１４３を設け、それに対応する位置に、衝撃検出部１１４が設けられた衝撃吸収ポール１５１を設置するだけの簡単な構成で、１度の外部からの衝撃を吸収し、検出することができる。
【０１１８】
ここで、基台１４１の構成は、従来の衝撃緩和機構を施された基台の構成であってもよい。すなわち、従来の基台に、補助的な機構として、衝撃吸収シャーシ１４３と、衝撃検出部１１４が設けられた衝撃吸収ポール１５１を追加するだけで、１度の外部からの衝撃を吸収し、検出することができる。したがって、メカデッキ１２１を大きくすることなしに、本発明の機構を追加することができる。
【０１１９】
なお、衝撃吸収シャーシ１４３や衝撃検出部１１４が設けられた衝撃吸収ポール１５１が１度の外部からの衝撃を吸収してしまった（すなわち、破壊されてしまった）としても、ＨＤＤ１１３の基本的な支持機能は保持される。すなわち、衝撃の印加により、衝撃の印加前と変化する（すなわち、破壊される）のは、不可逆な構成を有する衝撃吸収シャーシ１４３と衝撃検出部１１４のみであり、他の機構は衝撃による影響を大きく受けることはないので、デジタルカメラ１０１の大きな修理の必要性を回避させることが可能である。
【０１２０】
また、上記説明においては、衝撃吸収シャーシ１４３を基台１４１の左下隅に設け、それに対応する位置に、衝撃検出部１１４が設けられた衝撃吸収ポール１５１を設ける場合を説明したが、衝撃吸収シャーシの設置位置、設置方向、および設置個数などは、上述した例に限らない。
【０１２１】
図１３は、図４のＨＤＤが装着されるメカデッキ内の外観の構成例を示す上面図である。すなわち、図１３の例においては、図５のメカデッキ内の外観の他の構成例が示されており、図５の例において、図１３の例と対応する部分には、対応する符号が付してある。
【０１２２】
すなわち、図１３の例においては、基台１４１の左下隅に設けられている衝撃吸収シャーシ１４３−１（図５の衝撃吸収シャーシ１４３）と、それに対応する衝撃吸収ポール１５１−１（図５の衝撃吸収ポール１５１）の他に、基台１４１の左上隅に設けられている衝撃吸収シャーシ１４３−２と、それに対応する衝撃吸収ポール１５１−２が示されている。なお衝撃吸収ポール１５１−２にも、図５の衝撃吸収ポール１５１と同様に、図示せぬ衝撃検出部１１４が設けられている。
【０１２３】
図１３の例において、基台１４１上の左上隅の凸部には、図５の取付ビス１４２−２の場所に、衝撃吸収シャーシ１４３−２が、一方の端部（図中上端部）を基台から突出させるように、他方の端部（図中下端部）側が取付ピン１４４−２により固定されて、設けられている。
【０１２４】
また、メカデッキ１２１内においては、衝撃吸収シャーシ１４３−２の一方の端部から外側（ＨＤＤ１１３側とは反対側）の所定量離れた位置には、衝撃吸収ポール１５１−２が、図示せぬベースシャーシ１６１上に固定されて設けられている。
【０１２５】
衝撃吸収シャーシ１４３−２および衝撃吸収ポール１５１−２の構成および動作は、外部からの衝撃を吸収及び検出する方向が異なるだけであり、上述した図５の衝撃吸収シャーシ１４３および衝撃吸収ポール１５１と同様であるため、その説明は省略する。
【０１２６】
すなわち、衝撃吸収シャーシ１４３−１および衝撃吸収ポール１５１−１（図５の衝撃吸収シャーシ１４３および衝撃吸収ポール１５１）は、ｘ方向の衝撃を吸収、検出する機構であり、これに対して、衝撃吸収シャーシ１４３−２および衝撃吸収ポール１５１−２は、ｙ方向の衝撃を吸収、検出する機構である。
【０１２７】
なお、図５の例において、基台１４１上の左上隅の凸部に設けられていた取付ビス１４２−２は、図１３の例において、取付ピン１４４−２の図中下側の位置に移動されている。すなわち、取付ビス１４２−２の設置位置は、取付ピン１４４−２の設置に応じて適切な位置に変更可能である。
【０１２８】
以上のように、図１３の例においては、ディスク１３１に対して、ｘ方向の衝撃を吸収検出する機構として、衝撃吸収シャーシ１４３−１と衝撃吸収ポール１５１−１を設け、ｙ方向の衝撃を吸収し、検出する機構として、衝撃吸収シャーシ１４３−２と、衝撃検出部１１４が設置されている衝撃吸収ポール１５１−２を設けるように構成したので、ｘ方向の衝撃だけでなく、ｙ方向の衝撃に対しても、１度だけの衝撃からの救済が可能になる。
【０１２９】
なお、もちろん、１度目に、ｘ方向の衝撃が与えられ、２度目に、ｙ方向の衝撃が加えられた場合には、各方向に１度ずつの衝撃からの救済が可能になる。
【０１３０】
また、図示はしないが、ｚ方向の衝撃にも対応するｚ方向の衝撃を吸収、検出する衝撃吸収シャーシおよび衝撃吸収ポールも設置するようにしてもよいし、同じｘ方向であっても、逆向きに設置したり、あるいは、異なる位置に設置するようにしてもよい。
【０１３１】
すなわち、衝撃吸収シャーシ１４３と衝撃吸収ポール１５１は、デジタルカメラ１０１の構成に応じた、設置場所、設置数、および設置方向で設置される。また、衝撃吸収シャーシ１４３と衝撃吸収ポール１５１の形状や、方向に応じて、衝撃吸収の強度や検出センサの感度は、変更可能である。
【０１３２】
図１４は、図４のデジタルカメラ１０１の内部の詳細な構成例を示している。
【０１３３】
図１４の例において、カメラ信号処理ブロック１１１は、撮像レンズ２５１、撮像素子２５２、アナログ信号処理部２５３、Ａ／Ｄ（Analog to Digital）変換部２５４、およびデジタル信号処理部２５５により構成されている。
【０１３４】
撮像レンズ２５１は、光（すなわち、被写体の映像）を、ＣＣＤ（Charge Coupled Device）素子やＣＭＯＳ（Complementary Metal Oxide Semiconductor）素子などからなる撮像素子２５２に入射する。撮像レンズ２５１は、１枚又は複数枚のレンズで構成され、単焦点レンズでもよいし、ズームレンズ等の焦点距離可変のものでもよい。
【０１３５】
撮像素子２５２は、受光した光の強度を電気信号に変換し、アナログ信号処理部２５３に出力する。アナログ信号処理部２５３は、サンプリングホールド回路、色分離回路、ゲイン調整回路等を含み、このアナログ信号処理部２５３において、相関二重サンプリング（ＣＤＳ）処理並びにＲ，Ｇ，Ｂの各色信号に色分離処理され、各色信号の信号レベルの調整（プリホワイトバランス処理）が行われる。
【０１３６】
アナログ信号処理部２５３から出力された信号は、Ａ／Ｄ変換部２５４によりデジタル信号の画像データに変換された後、デジタル信号処理部２５５に供給される。
【０１３７】
デジタル信号処理部２５５は、輝度・色差信号生成回路、γ補正回路、シャープネス補正回路、コントラスト補正回路、ホワイトバランス補正回路等を含む画像処理手段であり、制御ブロック１１５のＣＰＵ（Central Processing Unit）２６１からの制御のもと、デジタル信号の画像データを処理する。
【０１３８】
すなわち、デジタル信号処理部２５５は、画像データを、輝度信号（Ｙ信号）および色差信号（Ｃr,Ｃb信号）に変換するとともに、γ補正等の所定の処理を施した後、処理済みの画像データを内蔵するメモリに格納する。メモリに記憶された画像データは、ＣＰＵ２６１の制御のもと、制御バス１１２を介して読み出され、制御ブロック１１５の画像ＲＡＭ（Random Access Memory）２６３や、映像信号生成処理部１１６などに供給される。
【０１３９】
また、図１４の例において、制御ブロック１１５は、ＣＰＵ２６１、プログラムＲＡＭ２６２、画像ＲＡＭ２６３、およびフラッシュメモリ２６４により構成されている。
【０１４０】
ＣＰＵ２６１は、フラッシュメモリ２６４に記憶され、プログラムＲＡＭ２６２にロードされたプログラム、または操作入力部２７１から入力されるユーザの操作に対応する信号に従って、デジタルカメラ１０１の各部を制御し、被写体を撮像する処理を行う各種の処理、撮像された画像データに対応する画像を表示する各種の処理などを実行する。
【０１４１】
例えば、ＣＰＵ２６１は、ユーザによる操作入力部２７１の操作に対応して、カメラ信号処理ブロック１１１により被写体が撮像され、所定の処理が実行された画像データを符号化し、ＨＤＤ１１３に記録させたり、カメラ信号処理ブロック１１１からの画像データや、ＨＤＤ１１３に記録されている画像データを復号し、映像信号生成処理部１１６を介してＬＣＤ１１７に表示させる。
【０１４２】
ＣＰＵ２６１は、また、フラッシュメモリ２６４に記憶され、プログラムＲＡＭ２６２にロードされたプログラム、または衝撃検出部１１４からの衝撃検出信号に応じて、ユーザに対して所定の警告を通知する画像データ（ＯＳＤ(On Screen Display)データ）を生成し、生成した画像データを、映像信号生成処理部１１６を介してＬＣＤ１１７に表示させる。
【０１４３】
プログラムＲＡＭ２６２には、ＣＰＵ２６１が各種の処理を実行する上において必要なデータなどが適宜記憶される。画像ＲＡＭ２６３には、ＣＰＵ２６１が各種の処理を実行する上において必要な画像データが一時的に格納される。
【０１４４】
フラッシュメモリ２６４は、ＣＰＵ２６１が実行する制御プログラム、制御プログラムの実行に必要な基本的に固定のパラメータなどを記録している。フラッシュメモリ２６４には、また、衝撃検出部１１４からの衝撃検出信号に応じて、衝撃検出情報が記録される。      
【０１４５】
フラッシュメモリ２６４は、マスクＲＯＭ（Read Only Memory）、EPROM（Erasable Programmable ROM）、またはフラッシュメモリ以外のEEPROM(Electrically Erasable Programmable ROM)で構成されるようにしてもよい。
【０１４６】
制御ブロック１１５のＣＰＵ２６１には、また、操作入力部２７１およびＬＥＤ表示部２７２が接続されている。
【０１４７】
操作入力部２７１は、シャッタボタン、電源ボタン、操作ダイヤル、または操作キーなどで構成され、ユーザの操作に応じた制御信号をＣＰＵ２６１に供給する。
【０１４８】
ＬＥＤ表示部２７２は、ＬＥＤ（Light Emitting Diode）などで構成され、ＣＰＵ２６１の制御のもと、ＬＥＤ光を発光させることにより、ユーザへの警告を出力する。
【０１４９】
図１４の例においては、制御バス１１２には、さらに、Ｉ／Ｏ（Input/Output）ポート２７３も適宜接続される。Ｉ／Ｏポート２７３は、ＣＰＵ２６１の制御に応じて、画像ＲＡＭ２６３などから供給される画像データをメモリカード２７４に記録したり、メモリカード２７４に記録されている画像データを、画像ＲＡＭ２６３に供給する。
【０１５０】
メモリカード２７４は、例えば、メモリースティック（登録商標）などで構成され、Ｉ／Ｏポート２７３に適宜装着され、Ｉ／Ｏポート２７３により、画像データが記録されたり、記録されている画像データが読み出される。なお、Ｉ／Ｏポート２７３に装着される記録媒体は、メモリカード２７４だけに限らず、光ディスクや光磁気ディスクなどのその他の記録媒体であってもよい。
【０１５１】
次に、デジタルカメラ１０１の動作について説明する。
【０１５２】
画像の撮像（撮影）時においては、撮像レンズ２５１は、光を撮像素子２５２に入射する。撮像素子２５２は、受光した光の強度を電気信号に変換し、アナログ信号処理部２５３に出力する。撮像素子２５２より入力された電気信号は、アナログ信号処理部２５３において、相関二重サンプリング処理並びにＲ，Ｇ，Ｂの各色信号に色分離処理され、各色信号の信号レベルの調整が行われ、Ａ／Ｄ変換部２５４に供給される。
【０１５３】
アナログ信号処理部２５３から出力された信号は、Ａ／Ｄ変換部２５４によりデジタル信号の画像データに変換された後、デジタル信号処理部２５５に供給される。デジタル信号処理部２５５は、画像データを、輝度信号（Ｙ信号）および色差信号（Ｃr,Ｃb信号）に変換するとともに、γ補正等の所定の処理を施した後、処理済みの画像データを内蔵するメモリに格納する。
【０１５４】
ユーザが操作入力部２７１を構成するシャッタボタンを操作した場合、操作入力部２７１からの操作入力に対応する信号に応じて、ＣＰＵ２６１は、撮像素子２５２によりシャッタボタンの操作のタイミングで受光された電気信号が対応する画像データを、デジタル信号処理部２５５から読み出し、映像信号生成処理部１１６に供給し、ＬＣＤ１１７に表示させるとともに、画像ＲＡＭ２６３に一旦格納する。
【０１５５】
そして、ＣＰＵ２６１は、画像ＲＡＭ２６３に格納された画像データをＪＰＥＧ（Joint Photographic Experts Group）などで符号化し、符号化した画像データをＨＤＤ１１３に供給し、ＨＤＤ１１３に装着されるディスク１３１に記録させる。
【０１５６】
また、画像の閲覧時においては、ユーザによる操作入力部２７１の操作に応じて、ＣＰＵ２６１は、ＨＤＤ１１３を制御し、ディスク１３１に記録されている画像データを読み出させる。ＨＤＤ１１３は、読み出した画像データを、制御バス１１２を介して、画像ＲＡＭ２６３に一旦格納する。
【０１５７】
ＣＰＵ２６１は、画像ＲＡＭ２６３に格納された画像データを復号し、復号した画像データを映像信号生成処理部１１６に供給し、ＬＣＤ１１７に表示させる。これにより、ＬＣＤ１１７には、ＨＤＤ１１３に記録されている画像データに対応する画像（映像）が表示される。
【０１５８】
図１５は、デジタルカメラ１０１の機能構成例を示すブロック図である。図１５に示される機能ブロックは、外部からの衝撃を検出し、ユーザに対して警告を行う衝撃検出警告処理を実行する機能ブロックであり、デジタルカメラ１０１のＣＰＵ２６１により所定の制御プログラムが実行されることで実現される。
【０１５９】
衝撃検出監視部３０１は、衝撃検出部１１４からの衝撃検出信号を監視しており、衝撃検出部１１４からの衝撃検出信号が入力されると、検出情報記録部３０２を制御し、衝撃検出情報をフラッシュメモリ２６４に記録させる。
【０１６０】
検出情報記録部３０２は、衝撃検出監視部３０１の制御のもと、衝撃検出情報をフラッシュメモリ２６４に記録する。なお、この衝撃検出情報は、衝撃検出の履歴情報として、サービスによるデジタルカメラ１０１のメンテナンス時（修理時や点検時）などに用いられる。
【０１６１】
衝撃レベル判定部３０３は、フラッシュメモリ２６４に衝撃検出情報が記録されているか否かを判定し、フラッシュメモリ２６４に衝撃検出情報が記録されている場合、ディスクドライブ制御部３０４を制御し、ＨＤＤ１１３の立ち上げを禁止させたり、ディスクチェック処理部３０５、および警告データ生成部３０６を制御し、警告表示処理を実行させる。
【０１６２】
また、衝撃レベル判定部３０３は、フラッシュメモリ２６４に記録される衝撃検出情報、ディスクチェック処理部３０５のディスクチェック結果などに基づいて、外部から受けた衝撃の大きさを判定して、その衝撃のレベルを設定し、設定した衝撃のレベルにも基づいて、ディスクチェック処理部３０５、および警告データ生成部３０６を制御し、警告表示処理を実行させる。
【０１６３】
図１５の例においては、衝撃レベル判定部３０３は、例えば、衝撃検出情報やディスクチェック結果に基づいて、検出された衝撃の大きさが小さいと判定した場合、衝撃レベル１を設定し、検出された衝撃の大きさが大きいと判定した場合、衝撃レベル３を設定し、検出された衝撃の大きさが中庸であると判定した場合、または衝撃の大きさが判定できていない場合、衝撃レベル２を設定する。なお、この衝撃レベルは、デジタルカメラ１０１の構成に応じて適宜設定可能である。
【０１６４】
ディスクドライブ制御部３０４は、衝撃レベル判定部３０３の制御のもと、ＨＤＤ１１３の動作を制御する。例えば、ディスクドライブ制御部３０４は、フラッシュメモリ２６４に衝撃検出情報が記録されている場合（すなわち、衝撃検出部１１４からの衝撃検出信号が供給された場合）、ＨＤＤ１１３の立ち上げ（起動）を禁止させる。
【０１６５】
ディスクチェック処理部３０５は、衝撃レベル判定部３０３の制御のもと、ＨＤＤ１１３（ディスク１３１）のディスクチェックを行う。すなわち、フラッシュメモリ２６４に衝撃検出情報が記録されている場合（すなわち、衝撃検出部１１４からの衝撃検出信号が供給された場合）、または、衝撃レベル判定部３０３により設定された衝撃のレベルが大きい場合、ＨＤＤ１１３のディスクチェックを行い、その結果を、衝撃レベル判定部３０３に供給する。
【０１６６】
警告データ生成部３０６は、衝撃レベル判定部３０３の制御のもと、ユーザに対して、外部から衝撃を受けたことを通知する警告画面データ（画像データ）を生成し、生成した警告画面データを、映像信号生成処理部１１６に供給する。すなわち、警告データ生成部３０６は、衝撃検出情報の有無や、衝撃レベル判定部３０３により設定された衝撃レベル１乃至３に応じた警告画面データを生成する。
【０１６７】
次に、図１６のフローチャートを参照して、デジタルカメラ１０１の衝撃検出警告処理の例を説明する。なお、図１６の例においては、電源が投入されており、動作中の状態であるデジタルカメラ１０１に、外部からの衝撃が加えられた場合の例を説明する。
【０１６８】
例えば、ユーザがデジタルカメラ１０１を誤って地面に落としてしまい、デジタルカメラ１０１に、外部から大きな衝撃が印加される。
【０１６９】
このとき、デジタルカメラ１０１のメカデッキ１２１内においては、外部から印加された衝撃の大きさが取付ビス１４２の緩衝ゴム１６２で吸収できないような大きさであった場合に、基台１４１と衝撃吸収シャーシ１４３が作動方向Ｒに移動する。さらに、その衝撃がある一定以上の大きさであったときには、衝撃吸収シャーシ１４３の一方の端部の先端が、衝撃吸収ポール１５１の衝撃検出部１１４に衝突する。
【０１７０】
衝撃検出部１１４の受圧部２１１は、衝撃吸収シャーシ１４３の衝突による圧力Ｐを受ける。これにより、ピストン部２０２の加圧部２１２は、圧力Ｐの方向へ移動し、検出部本体２０１内部に押し込まれて、検出部本体２０１の内部のオイル２２２や空気２２３を、孔２３１を介して押し出す。一方、ピストン部２０２の受圧部２１１は、圧力Ｐの方向へ移動し、検出部本体２０１に設けられる検出スイッチ２２１を押下する。
【０１７１】
衝撃検出部１１４の検出スイッチ２２１は、ステップＳ１１において、衝撃吸収シャーシ１４３の衝突を検出するまで待機している。検出スイッチ２２１は、衝撃吸収シャーシ１４３の一方の端部の先端による衝撃吸収ポール１５１への衝突を電気的に検出すると衝撃吸収シャーシの衝突を検出したと判定し、検出した衝撃検出信号を、制御バス１１２を介して、制御ブロック１１５の衝撃検出監視部３０１に供給する。
【０１７２】
衝撃検出監視部３０１は、衝撃検出部１１４からの衝撃検出信号を監視しており、衝撃検出部１１４からの衝撃検出信号が入力されると、ステップＳ１２において、検出情報記録部３０２を制御し、衝撃検出情報をフラッシュメモリ２６４に記録させる。
【０１７３】
衝撃検出情報がフラッシュメモリ２６４に記録されると、衝撃レベル判定部３０３は、ステップＳ１３において、フラッシュメモリ２６４に衝撃検出情報が記録されているか否かを判定し、フラッシュメモリ２６４に衝撃検出情報が記録されていると判定した場合、ステップＳ１４に進み、警告データ生成部３０６を制御し、警告表示処理を行わせる。
【０１７４】
すなわち、ステップＳ１４において、警告データ生成部３０６は、ユーザに対して、外部から衝撃を受けたことを通知する警告画面データを生成し、生成した警告画面データを、制御バス１１２を介して映像信号生成処理部１１６に出力する。
【０１７５】
なお、ステップＳ１４においては、図１９を参照して詳しく後述するが、衝撃レベルの判定を行い、判定した衝撃レベルに応じて警告表示処理が行われるようにしてもよい。
【０１７６】
映像信号生成処理部１１６は、警告データ生成部３０６からの警告画面データに対応する映像信号を生成し、生成した映像信号に対応する映像をＬＣＤ１１７に表示させ、衝撃検出警告処理を終了する。
【０１７７】
これにより、ＬＣＤ１１７には、図１７に示されるような警告画面が表示される。
【０１７８】
一方、ステップＳ１３において、フラッシュメモリ２６４に衝撃検出情報が記録されていないと判定された場合、ステップＳ１４の処理はスキップされ、衝撃検出警告処理は終了される。
【０１７９】
図１７は、ＬＣＤ１１７に表示される警告画面の例を示している。
【０１８０】
図１７の例においては、ＬＣＤ１１７には、「大きな衝撃を受けました  再び衝撃を受けた場合にはディスクが破損する可能性があります。  サービスに点検を依頼してください。」と、ユーザに対して、外部から衝撃を受けたことなどを通知する警告画面３５１が表示されている。
【０１８１】
また、ＬＣＤ１１７の警告画面３５１の下部には、警告画面３５１を確認したユーザが、操作入力部２７１を操作して押下することで、この警告画面３５１の確認済みを、ＣＰＵ２６１に通知するためのＯＫボタンも表示されている。
【０１８２】
以上のように、衝撃吸収シャーシ１４３の衝突を検出する衝撃検出部１１４を衝撃吸収ポール１５１に設置し、衝撃検出部１１４による衝撃吸収シャーシ１４３の衝突を検出に基づいて、ユーザに対して、衝撃を受けたこと、ディスクが破損する可能性があること、または、点検を依頼することなどを通知する（促す）警告画面を表示させるようにしたので、デジタルカメラ１０１のＨＤＤ１１３を保護することができる。
【０１８３】
すなわち、デジタルカメラ１０１の衝撃吸収シャーシ１４３は、上述したように衝撃印加からの１度のみのＨＤＤ１１３の救済機構であるため、次に同じような衝撃を受けたとしても、ＨＤＤ１１３への衝撃を吸収することができず、警告がなければ、同じような衝撃を受けてしまい、ＨＤＤ１１３が故障してしまう恐れがある。
【０１８４】
したがって、１度目の衝撃を検出し、その衝撃を受けたことや、点検の必要性を警告表示するようにしたことにより、２度目の衝撃から、ＨＤＤ１１３を間接的に保護することができる。
【０１８５】
さらに、衝撃を受けたときには、ディスクが破損していなくても、そのまま使用を続けることにより、衝撃を受けたことが原因で、ディスクが破損してしまう恐れもある。したがって、衝撃を受けたことを通知する警告画面を表示させることにより、このような２次的な影響によるディスク破損からも、ＨＤＤ１１３を保護することができる。
【０１８６】
次に、図１８のフローチャートを参照して、デジタルカメラ１０１の衝撃検出警告処理の例を説明する。なお、図１８は、図１６の衝撃検出処理の他の例であり、図１８の例においては、電源が投入されておらず、動作停止中の状態であるデジタルカメラ１０１に、外部からの衝撃が加えられた場合の例を説明する。
【０１８７】
例えば、ユーザがデジタルカメラ１０１を誤って、地面に落としてしまい、デジタルカメラ１０１に、外部から大きな衝撃が加えられる。
【０１８８】
このとき、デジタルカメラ１０１のメカデッキ１２１内においては、外部からの衝撃が取付ビス１４２の緩衝ゴム１６２で吸収できないような大きさであった場合に、基台１４１と衝撃吸収シャーシ１４３が作動方向Ｒに移動する。さらに、その衝撃がある一定以上の大きさであったときには、衝撃吸収シャーシ１４３の一方の端部の先端が、衝撃吸収ポール１５１の衝撃検出部１１４に衝突する。
【０１８９】
衝撃検出部１１４の受圧部２１１は、衝撃吸収シャーシ１４３からの衝突による圧力Ｐを受ける。これにより、ピストン部２０２が圧力Ｐの方向へ移動し、ピストン部２０２の受圧部２１１は、検出部本体２０１に設けられる検出スイッチ２２１を押下するとともに、圧力Ｐの方向へ移動し、ピストン部２０２の加圧部２１２は、検出部本体２０１内部に押し込まれ、検出部本体２０１の内部のオイル２２２や空気２２３を、孔２３１を介して押し出す。
【０１９０】
すなわち、検出部本体２０１の内部のオイル２２２や空気２２３は、加圧部２１２に設けられた孔２３１を介して、検出部本体２０１の手前側に押し出されるので、検出部本体２０１の内部には戻らない。したがって、受圧部２１１は、検出部本体２０１に設けられる検出スイッチ２２１を押下しつづける状態となり、これに対応して、検出スイッチ２２１は、衝撃検出信号を、制御バス１１２を介して、制御ブロック１１５に供給しつづける。
【０１９１】
この後、ユーザの操作により、デジタルカメラ１０１に電源が投入されると、衝撃検出監視部３０１は、メカデッキ１２１に設けられた衝撃検出部１１４の監視を開始し、ステップＳ３１において、衝撃検出部１１４において衝撃が検出されているか否かを判定し、衝撃検出部１１４において衝撃が検出されていると判定した場合、ステップＳ３２に進み、検出情報記録部３０２を制御し、衝撃検出情報をフラッシュメモリ２６４に記録させる。
【０１９２】
なお、メカデッキ１２１には、少なくとも１以上の衝撃検出部１１４、衝撃検出部１１４を備えた衝撃吸収ポール１５１、およびそれに対応する衝撃吸収シャーシ１４３の構成が設置されており、ステップＳ３１およびＳ３２の処理は、メカデッキ１２１に設けられたすべての衝撃検出部１１４に対して実行される。
【０１９３】
ステップＳ３１において、衝撃検出部１１４において衝撃が検出されていないと判定された場合、ステップＳ３２の処理をスキップし、処理は、ステップＳ３３に進む。
【０１９４】
衝撃レベル判定部３０３は、ステップＳ３３において、フラッシュメモリ２６４に衝撃検出情報が記録されているか否かを判定し、フラッシュメモリ２６４に衝撃検出情報が記録されていると判定した場合、ステップＳ３４に進み、ディスクドライブ制御部３０４を制御し、ＨＤＤ１１３の立ち上げ（起動）を禁止させ、ステップＳ３５に進む。
【０１９５】
衝撃レベル判定部３０３は、ステップＳ３５において、警告表示処理を実行する。この警告表示処理を、図１９のフローチャートを参照して説明する。なお、図１９の警告表示処理は、衝撃レベル判定を行い、その判定した衝撃レベルに応じた警告表示処理であり、図１６のステップＳ１４の他の処理でもある。したがって、図１６のステップＳ１４において、図１９の衝撃レベルに応じた警告表示処理が行われるようにしてもよい。
【０１９６】
衝撃レベル判定部３０３は、図１９のステップＳ５１において、メカデッキ１２１に衝撃検出部１１４が複数個設置されているか否かを判定する。すなわち、ステップＳ５１においては、メカデッキ１２１に、衝撃検出部１１４、衝撃検出部１１４を備えた衝撃吸収ポール１５１、およびそれに対応する衝撃吸収シャーシ１４３の構成が複数個設置されているか否かが判定される。
【０１９７】
ステップＳ５１において、メカデッキ１２１に衝撃検出部１１４が複数個設置されていると判定された場合、ステップＳ５２に進み、衝撃レベル判定部３０３は、フラッシュメモリ２６４の衝撃検出情報に基づいて、衝撃検出は、１つであるか否か（すなわち、フラッシュメモリ２６４には、１つの衝撃検出部１１４からの衝撃検出情報しか記録されていないか否か）を判定する。
【０１９８】
ステップＳ５２において、衝撃検出は、１つであると判定された場合、衝撃レベル判定部３０３は、検出された衝撃の大きさが中庸であるとして、検出された衝撃のレベルを、衝撃レベル２に設定し、ステップＳ５３に進み、警告データ生成部３０６を制御し、衝撃レベル２に対応する警告画面を、ＬＣＤ１１７に出力させる。
【０１９９】
すなわち、警告データ生成部３０６は、ステップＳ５３において、衝撃レベル判定部３０３により設定された衝撃レベル２に対応する警告画面データを生成し、生成した警告画面データを、制御バス１１２を介して映像信号生成処理部１１６に出力し、ステップＳ５４に進む。
【０２００】
映像信号生成処理部１１６は、警告データ生成部３０６からの警告画面データに対応する映像信号を生成し、生成した映像信号に対応する映像をＬＣＤ１１７に表示させる。
【０２０１】
これにより、ＬＣＤ１１７には、図２０に示されるような、衝撃レベル２に対応する警告画面３６１が表示される。
【０２０２】
図２０の例においては、ＬＣＤ１１７−１には、「大きな衝撃を受けました  サービスに点検を依頼する必要があります。ディスクチェックを行ってください。」と示される警告画面３６１が表示されている。
【０２０３】
また、ＬＣＤ１１７−１の警告画面３６１の下部には、警告画面３６１を確認したユーザが、操作入力部２７１を操作して決定することで、ＣＰＵ２６１に対してディスクチェックの実行を指示ためのＯＫボタンも表示されている。
【０２０４】
すなわち、図１９のステップＳ５２において、Ｙｅｓと判定された場合は、メカデッキ１２１に複数個設置されている衝撃検出部１１４のうちの１つからしか衝撃が検出されていない場合であるので、衝撃レベル判定部３０３は、検出された衝撃の大きさは大きくないが、ディスクチェックを行っておらず、まだ、衝撃の大きさが小さいとはいえないため、検出された衝撃の大きさが中庸であるとして、検出された衝撃のレベルを、衝撃レベル２に設定する。
【０２０５】
そして、この場合、衝撃レベル判定部３０３は、衝撃レベル２に対応して、ＬＣＤ１１７−１に、例えば、ユーザに対して、衝撃を受けたこと、サービスに点検を依頼する必要であること、または、ディスクチェックを行うことなどを通知する警告画面を表示させ、以降の処理において、ディスクチェックの結果に応じて、さらなる警告画面を表示させるようにする。
【０２０６】
図１９に戻って、衝撃レベル判定部３０３は、ステップＳ５４において、ディスクチェックが指示されるまで待機している。
【０２０７】
例えば、ユーザにより、操作入力部２７１が操作され、ＬＣＤ１１７−１に表示されるＯＫボタンが決定される。操作入力部２７１から供給される制御信号に基づいて、衝撃レベル判定部３０３は、ステップＳ５４において、ディスクチェックが指示されたと判定し、ステップＳ５５に進み、ディスクチェック処理部３０５を制御し、ＨＤＤ１１３のディスクチェックを行わせる。
【０２０８】
ディスクチェック処理部３０５は、ステップＳ５５において、ＨＤＤ１１３（ディスク１３１）のディスクチェックを行い、ディスクチェックの結果を、衝撃レベル判定部３０３に供給する。このとき、ディスクチェック処理部３０５は、ディスクチェックの結果としてのエラーコードなどを、フラッシュメモリ２６４に記録するようにしてもよい。
【０２０９】
ディスクチェック処理部３０５からのディスクチェックの結果が供給されると、衝撃レベル判定部３０３は、ディスクチェックの結果に基づいて、ＨＤＤ１１３に破壊セクタがあるか否かを判定し、ＨＤＤ１１３に破壊セクタがないと判定した場合、検出された衝撃の大きさが小さいと判定し、衝撃レベル１を設定し、ステップＳ５７に進み、警告データ生成部３０６を制御し、衝撃レベル１に対応する警告画面を、ＬＣＤ１１７に出力させる。
【０２１０】
すなわち、警告データ生成部３０６は、ステップＳ５７において、衝撃レベル判定部３０３により設定された衝撃レベル１に対応する警告画面データを生成し、生成した警告画面データを、生成した警告画面データを、制御バス１１２を介して映像信号生成処理部１１６に出力し、衝撃検出警告処理を終了する。
【０２１１】
映像信号生成処理部１１６は、警告データ生成部３０６からの警告画面データに対応する映像信号を生成し、生成した映像信号に対応する映像をＬＣＤ１１７に表示させる。
【０２１２】
これにより、ＬＣＤ１１７には、図２０に示されるような、衝撃レベル１に対応する警告画面３６２が表示される。
【０２１３】
図２０の例においては、ＬＣＤ１１７−２には、「大きな衝撃を受けました  ディスクに障害はありませんでしたが、サービスに点検を依頼してください。」と示される警告画面３６２が表示されている。
【０２１４】
すなわち、図１９のステップＳ５６において、Ｎｏと判定された場合は、メカデッキ１２１に複数個設置されている衝撃検出部１１４のうちの１つからしか衝撃が検出されておらず、さらに、ディスクチェックで破壊セクタがないと判定された場合であるので、衝撃レベル判定部３０３は、検出された衝撃の大きさが小さいとして、検出された衝撃のレベルを、衝撃レベル１に設定する。
【０２１５】
そして、衝撃レベル判定部３０３は、衝撃レベル１に対応して、例えば、ユーザに対して、衝撃を受けたこと、ディスクに障害はなかったが、サービスに点検を依頼することを通知する警告画面をＬＣＤ１１７に表示させるとともに、ユーザのデジタルカメラ１０１の使用機会の損出を考慮し、一定の条件下であれば、継続使用できるように配慮する。
【０２１６】
例えば、デジタルカメラ１０１において、ＨＤＤ１１３からの画像データの読み出しだけは可能にしたり、ＨＤＤ１１３の所定の領域だけの書き込みだけは、可能にしたりなどの制限が付加されての使用が可能にされる。
【０２１７】
したがって、この場合には、衝撃レベル判定部３０３は、ステップＳ５７において、警告データ生成部３０６を制御し、衝撃レベル１に対応する警告画面を、ＬＣＤ１１７に出力させるとともに、ディスクドライブ制御部３０４を制御し、図１８のステップＳ３４において禁止させていたＨＤＤ１１３の立ち上げを解除させる。
【０２１８】
以上により、衝撃レベル１の場合には、ユーザによる、一定の条件下でのデジタルカメラ１０１の使用が許可される。
【０２１９】
一方、ステップＳ５１において、メカデッキ１２１に衝撃検出部１１４が複数個設置されていないと判定された場合、１つしか設置されていない衝撃検出部１１４からの衝撃が検出されているので、衝撃レベル判定部３０３は、検出された衝撃の大きさが大きいと判定し、衝撃レベル３を設定し、ステップＳ５８に進む。
【０２２０】
また、ステップＳ５２において、衝撃検出は、複数個であると判定された場合、すなわち、フラッシュメモリ２６４には、複数個設置されているうちの複数の衝撃検出部１１４からの衝撃検出情報が記録されているので、衝撃レベル判定部３０３は、検出された衝撃の大きさが大きいと判定し、衝撃レベル３を設定し、ステップＳ５８に進む。
【０２２１】
さらに、ステップＳ５６において、破壊セクタがあると判定された場合、衝撃レベル判定部３０３は、検出された衝撃の大きさが大きいと判定し、衝撃レベル３を設定し、ステップＳ５８に進む。
【０２２２】
衝撃レベル判定部３０３は、ステップＳ５８において、警告データ生成部３０６を制御し、衝撃レベル３に対応する警告画面をＬＣＤ１１７に出力させる。
【０２２３】
すなわち、警告データ生成部３０６は、ステップＳ５７において、衝撃レベル３に対応する警告画面データを生成し、生成した警告画面データを、生成した警告画面データを、制御バス１１２を介して映像信号生成処理部１１６に出力し、衝撃検出警告処理を終了する。
【０２２４】
映像信号生成処理部１１６は、警告データ生成部３０６からの警告画面データに対応する映像信号を生成し、生成した映像信号に対応する映像をＬＣＤ１１７に表示させる
【０２２５】
これにより、ＬＣＤ１１７は、図２０に示されるように、衝撃レベル３に対応する警告画面３６３が表示される。
【０２２６】
図２０の例においては、ＬＣＤ１１７−３には、「大きな衝撃を受けました  ディスクに障害が生じています。  サービスに修理を依頼してください。」と示される警告画面３６３が表示されている。
【０２２７】
すなわち、１つしか設置されていない衝撃検出部１１４からの衝撃が検出されたり、複数個設置されているうちの複数の衝撃検出部１１４からの衝撃検出情報が記録されたり、あるいは、破壊セクタがあると判定された場合には、衝撃レベル判定部３０３は、例えば、衝撃を受けたときには、ディスクが破損していなくても、そのまま使用を続けることにより、衝撃を受けたことが原因で、ディスクが破損してしまうような２次的な影響によるディスク破損を考慮して、サービスに修理を依頼することを促す警告をＬＣＤ１１７に表示させるとともに、ＨＤＤ１１３の立ち上げをそのまま禁止し、ユーザに、デジタルカメラ１０１の使用を禁止させる。
【０２２８】
以上により、衝撃レベル３の場合には、デジタルカメラ１０１の所定の動作が禁止され、ユーザによるデジタルカメラ１０１の使用が禁止される。
【０２２９】
なお、上記説明においては、警告画面データをＬＣＤ１１７より表示させるようにしたが、ＬＥＤ表示部２７２に、衝撃レベルに応じた点滅などを出力させるようにしてもよい。さらに、その際には、図示せぬスピーカなどから、注意を促すために、ビープ音などを出力させるようにしてもよい。
【０２３０】
以上のように、メカデッキ１２１に、衝撃吸収シャーシ１４３および衝撃吸収ポール１５１を設置するようにしたので、外部からの大きな衝撃の印加に対して、１度だけＨＤＤ１１３を保護することができる。
【０２３１】
そして、さらに、衝撃吸収ポール１５１に衝突を検出する衝撃検出部１１４を設け、衝撃検出部１１４による衝撃吸収シャーシ１４３の衝突の検出に基づいて、ユーザに対して、衝撃を受けたこと、ディスクが破損する可能性があること、または、点検を依頼するよう勧めることなどを通知する警告画面を表示させるようにしたので、２度以降の外部からの大きな衝撃が印加される前に、ユーザにデジタルカメラ１０１を点検あるいは修理に出させることができる。すなわち、結果的に、デジタルカメラ１０１のＨＤＤ１１３を保護することができる。
【０２３２】
また、衝撃検出部１１４（検出スイッチ２２１）を非可逆な構成にして、起動直後に、その衝撃検出部１１４からの衝撃検出信号を確認（監視）するようにしたので、デジタルカメラ１０１に電源が入っていないときに、外部からの大きな衝撃があった場合にも、その衝撃があったことを検出することができる。
【０２３３】
さらに、フラッシュメモリ２６４に記録されている衝撃検出情報（すなわち、衝撃検出部１１４からの衝撃検出信号）などに基づいて、検出された衝撃レベルが設定され、設定された衝撃レベルに応じて、デジタルカメラ１０１の機能が制御されたり、警告が表示される。
【０２３４】
これにより、衝撃が小さかった場合には、一定の条件下であれば、継続使用可能にすることで、ユーザのデジタルカメラ１０１の使用機会の損出を抑制することができたり、衝撃が大きかった場合には、デジタルカメラ１０１の立ち上げを禁止し、修理を促すことで、２次的な影響からのＨＤＤ１１３の破損を回避させることができる。
【０２３５】
さらに、衝撃検出情報やディスクチェックの結果をフラッシュメモリ２６４に記録するようにしたので、デジタルカメラ１０１を修理するサービスにおいては、その衝撃検出情報を衝撃履歴情報として用い、デジタルカメラの機種毎のユーザが落としやすい方向、それにより壊れやすい部分などの情報を分析することができ、デジタルカメラ１０１や、それに搭載されるＨＤＤ１１３の機構の開発に役立たせることができる。したがって、デジタルカメラ１０１や、それに搭載されるＨＤＤ１１３の精度向上や、信頼性向上に寄与できる。
【０２３６】
なお、図１７や図２０に示される警告画面は、一例であり、画面においてなされる警告の種類も複数設定可能である。
【０２３７】
また、上記説明においては、衝撃吸収シャーシ１４３の衝突を検出する衝撃検出部１１４の衝撃検出信号に応じて、衝撃検出レベルを判定するようにしたが、例えば、デジタルカメラ１０１に加速度センサなどが搭載されていれば、加速度センサの情報と、衝撃検出部１１４の情報とを合わせて判定するようにしてもよい。
【０２３８】
この場合には、ＨＤＤ１１３へのダメージ予測精度が向上され、その情報を残すことで信頼性管理に寄与できる。また、ＨＤＤ１１３の動作状態（動作モード、動作状態、エラー発生状態）を出力するような状態検出機構を、メカデッキ１２１に備えるようにし、その動作状態を制御ブロック１１５に記録することにより、さらなる精度向上や、信頼性向上に寄与可能である。
【０２３９】
なお、本発明は、図４のデジタルカメラ１０１に限定されず、本発明は、カメラ一体型ビデオレコーダや携帯電話機、ＰＤＡ、パーソナルオーディオ機器、カメラ（撮像部）付パーソナルコンピュータなどにも適用される。
【０２４０】
特に、ユーザに携帯される携帯端末機は、近年小型化されていることもあり、ユーザの手から誤って落ちる恐れがある。本発明は、このような携帯端末機に特に効果がある。
【０２４１】
上述した一連の処理は、ハードウェアにより実行させることもできるが、ソフトウェアにより実行させることもできる。この場合、例えば、図４のデジタルカメラ１０１は、図２１に示されるようなパーソナルコンピュータ４０１により構成される。
【０２４２】
図２１において、ＣＰＵ（Central Processing Unit）４１１は、ＲＯＭ(Read Only Memory) ４１２に記憶されているプログラム、または、記憶部４１８からＲＡＭ（Random Access Memory）４１３にロードされたプログラムに従って各種の処理を実行する。ＲＡＭ４１３にはまた、ＣＰＵ４１１が各種の処理を実行する上において必要なデータなどが適宜記憶される。
【０２４３】
ＣＰＵ４１１、ＲＯＭ４１２、およびＲＡＭ４１３は、バス４１４を介して相互に接続されている。このバス４１４にはまた、入出力インタフェース４１５も接続されている。
【０２４４】
入出力インタフェース４１５には、図５の操作入力部２７１、キーボード、マウスなどよりなる入力部４１６、図５のＬＥＤ表示部２７２、ＣＲＴ(Cathode Ray Tube)および図４のＬＣＤ１１７などよりなるディスプレイ、並びにスピーカなどよりなる出力部４１７、図４のＨＤＤ１１３などより構成される記憶部４１８、モデム、ターミナルアダプタなどより構成される通信部４１９が接続されている。通信部４１９は、無線や有線などのネットワークを介しての通信処理を行う。
【０２４５】
入出力インタフェース４１５にはまた、必要に応じてドライブ４２０が接続され、磁気ディスク４３１、光ディスク４３２、光磁気ディスク４３３、或いは半導体メモリ４３４などが適宜装着され、それから読み出されたコンピュータプログラムが、必要に応じて記憶部４１８にインストールされる。
【０２４６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２４７】
なお、このプログラムは、全体として上述した一連の処理を実行できれば、その形態は特に限定されない。例えば、上述した各ブロックのそれぞれに対応するモジュールのそれぞれからなるモジュール構成とされてもよいし、幾つかのブロックの機能の一部または全部が組み合わされたモジュール、若しくは、ブロックの機能が分割されたモジュールからなるモジュール構成とされてもよい。或いは、単に１つのアルゴリズムを有するプログラムでもよい。
【０２４８】
このプログラムが記録される記録媒体は、図２１に示されるように、装置本体とは別に、ユーザにプログラムを提供するために配布される、プログラムが記録されている磁気ディスク４３１（フレキシブルディスクを含む）、光ディスク４３２（CD-ROM(Compact Disk-Read Only Memory)，ＤＶＤ(Digital Versatile Disk)を含む）、光磁気ディスク４３３（MD(Mini-Disk)（商標）を含む）、もしくは半導体メモリ４３４などよりなるパッケージメディアにより構成されるだけでなく、装置本体に予め組み込まれた状態でユーザに提供される、プログラムが記録されているＲＯＭ４１２や、記憶部４１８に含まれるハードディスクなどで構成される。
【０２４９】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２５０】
また、プログラムは、１のコンピュータにより処理されるものであっても良いし、複数のコンピュータによって分散処理されるものであってもよい。さらに、プログラムは、遠方のコンピュータに転送されて実行されるものであってもよい。
【０２５１】
なお、本明細書において、システムとは、複数の装置により構成される装置全体を表すものである。
【図面の簡単な説明】
【０２５２】
【図１】従来のディスク装置の外観の構成例を示す平面図である。
【図２】図１のディスク装置の外観の構成例を示す斜視図である。
【図３】図１の取付ピンの構成例を示す断面図である。
【図４】本発明のデジタルカメラの内部の構成例を示すブロック図である。
【図５】図１のデジタルカメラのＨＤＤが装着されるメカデッキ内の外観の構成例を示す上面図である。
【図６】図５のメカデッキ内の衝撃吸収シャーシ近傍の構成例を示す拡大断面図である。
【図７】図５のメカデッキ内の衝撃吸収シャーシ近傍の構成例を示す拡大上面図である。
【図８】外部からの衝撃を受けた後の図６のメカデッキ内の外観の構成例を示す拡大断面図である。
【図９】図７の衝撃吸収シャーシの他の構成例を示す拡大上面図である。
【図１０】図９の衝撃吸収シャーシを外した場合の構成例を示す拡大上面図である。
【図１１】図５の衝撃吸収ポールに設けられる衝撃検出部の詳細な構成例を示す拡大断面図である。
【図１２】外部からの衝撃を受けた後の図１１の衝撃検出部の詳細な構成例を示す拡大断面図である。
【図１３】図５のメカデッキ内の外観の他の構成例を示す上面図である。
【図１４】図４のデジタルカメラ１０１の内部の詳細な構成例を示すブロック図である。
【図１５】図４のデジタルカメラ１０１の機能構成例を示すブロック図である。
【図１６】図４のデジタルカメラ１０１の衝撃検出警告処理の例を説明するフローチャートである。
【図１７】図４のＬＣＤに表示される警告画面の例を示す図である。
【図１８】図４のデジタルカメラ１０１の衝撃検出警告処理の他の例を説明するフローチャートである。
【図１９】図１８のステップＳ３５の警告表示処理の例を説明するフローチャートである。
【図２０】図４のＬＣＤに表示される警告画面の他の例を示す図である。
【図２１】本発明を適用するパーソナルコンピュータの構成例を示すブロック図である。
【符号の説明】
【０２５３】
１０１  デジタルカメラ，１１３  ＨＤＤ，１１４  衝撃検出部， １１５  制御ブロック，１１６  映像信号生成処理部，１１７  ＬＣＤ，１２１  メカデッキ，１４１  基台，１４２−１乃至１４２−４  取付ビス，１４３  衝撃吸収シャーシ，１４４  取付ピン，１５１  衝撃緩衝ポール，１６１  ベースシャーシ，１６２  緩衝ゴム，１６３  溝，１６４  圧接バネ，１８１，１９１  安全作動用レール，２０１  検出部本体，２０２  ピストン部，２１１  受圧部，２１２  加圧部，２２１  検出スイッチ，２３１  孔，２６１  ＣＰＵ，２６４  フラッシュメモリ，２７１  操作入力部， ２７２  ＬＥＤ表示部，３０１  衝撃検出監視部，３０２  検出情報記録部，３０３  検出レベル判定部，３０４ディスクドライブ制御部，３０５  ディスクチェック処理部，３０６  警告データ生成部
【図１】
2006338791.tif 000003
【図２】
2006338791.tif 000004
【図３】
2006338791.tif 000005
【図４】
2006338791.tif 000006
【図５】
2006338791.tif 000007
【図６】
2006338791.tif 000008
【図７】
2006338791.tif 000009
【図８】
2006338791.tif 000010
【図９】
2006338791.tif 000011
【図１０】
2006338791.tif 000012
【図１１】
2006338791.tif 000013
【図１２】
2006338791.tif 000014
【図１３】
2006338791.tif 000015
【図１４】
2006338791.tif 000016
【図１５】
2006338791.tif 000017
【図１６】
2006338791.tif 000018
【図１７】
2006338791.tif 000019
【図１８】
2006338791.tif 000020
【図１９】
2006338791.tif 000021
【図２０】
2006338791.tif 000022
【図２１】
2006338791.tif 000023